(57)【特許請求の範囲】
【請求項１】
ファン式薬剤拡散装置の容器保持部にこれの軸方向に係脱可能に装着され、ファン式薬剤拡散装置内に設けられたファンを回転して送風することにより、軸方向に対向する２壁に設けられた通風孔を通じて内部に収容した薬剤含浸体の薬剤を上記送風にて揮散、拡散するようにしたファン式薬剤拡散装置用の薬剤容器において、
この薬剤容器を、
通気孔を多数有する端壁にて筒壁の一方を閉じてなる容器本体と、
通気孔を多数有して上記容器本体の筒壁の外側形状と同形にした端壁に、上記容器本体の筒壁の内径面に密に嵌合する形状にした筒壁を設けてなる蓋体とから構成し、
上記蓋体の筒壁の先端部内側に拡開状のテーパ面を設けた
ことを特徴とするファン式薬剤拡散装置用の薬剤容器。
【請求項２】
容器本体の筒壁の内径面に蓋体の筒壁を嵌合して、この蓋体にて容器本体を閉じた状態で軸方向中間に対する軸方向対称の形状にしたことを特徴とする請求項１記載のファン式薬剤拡散装置用の薬剤容器。
【請求項３】
薬剤容器をファン式薬剤拡散装置の容器保持部に係合保持するための係止凸条を、薬剤容器の容器本体の外周側で、かつこの容器本体に蓋体を嵌合した状態での薬剤容器の軸方向中間部となる位置に設け、薬剤容器をこの係合凸条に対して軸方向に対称形状となるようにしたことを特徴とする請求項１記載のファン式薬剤拡散装置用の薬剤容器。
【発明の詳細な説明】
【０００１】
【発明の属する技術分野】
本発明は、モータによって駆動するファンの風の力で薬剤容器内に収容した薬剤含浸体の薬剤を揮散、拡散するようにしたファン式薬剤拡散装置に用いる薬剤容器に関するものである。
【０００２】
【従来の技術】
上記したファン式薬剤拡散装置は図５に示すようになっていて、図中１は装置本体、２は電源収納体、３は薬剤容器である。そして薬剤容器３は電源収納体２の容器保持部４に、これの内側から係脱可能に保持されるようになっている。電源収納体２は装置本体１に対して、これの容器保持部４の軸心と直角方向にスライドして係脱可能に装着されるようになっている。
【０００３】
そして、装置本体１に設けたスイッチ５を摺動してオンにすることにより装置本体１内に設けたモータ６が、電池収納体２内に収納された電池（図示せず）より通電されて回転され、これにより、このモータ６の軸に固着されたファン７が回転するようになっている。ファン７の回転により、薬剤容器３の外側から空気が吸入され、この空気に薬剤容器３内に収納した薬剤含浸体８から揮散される薬剤成分が混入され、この空気が排気口９より本体装置１の側方へ排出されるようになっている。このとき、薬剤にピレスロイド系の殺虫剤を用いることにより、周囲の蚊等の害虫を駆除できる。
【０００４】
ところで、従来の薬剤容器３は図６に示すようになっていて、通気孔１０ａを多数有する端壁１０ｂにて筒壁１０ｃの一方を閉じてなる容器本体１０と、通気孔１１ａを多数有する端壁１１ｂにて筒壁１１ｃの一方を閉じてなる蓋体１１とからなり、かつ、上記蓋体１１の筒壁１１ｃは容器本体１０の筒壁１０ｃの外側に嵌合するようになっている。
【０００５】
【発明が解決しようとする課題】
上記従来の薬剤容器３にあっては、上記したように、蓋体１１が容器本体１０の外側に嵌合しているため、容器本体１０の筒壁１０ｃの端面が蓋体１１の端壁１１ｂの内側端面に当接されるようになっている。
【０００６】
このため、容器本体１０内にビーズ状等の薬剤含浸体８を容器本体１０の開口端から少しでも盛り上がる位に充満した状態でこれに蓋体１１を嵌合したときに、容器本体１０の筒壁１０ｃの端面と蓋体１１の端壁１１ｂの内面との間に容器１０内の薬剤含浸体８が噛み込んでしまい、蓋体１１が容器本体１０に密に嵌合できないという問題がある。また、上記噛み込まれた薬剤含浸体８は薬剤容器３内を通る空気にさらされることがないためこれに含浸した薬剤成分は揮散せず無駄になってしまう。
【０００７】
また、上記従来の薬剤容器３は、図６に示すように、軸方向両側の形状が同一にならないので、この薬剤容器３を電源収納体２の容器保持部４に装着する際に勝手違いが生じて、いずれの側からも装着することができず、組み立てにくかった。
【０００８】
本発明は上記のことにかんがみなされたもので、容器本体に蓋体を嵌合したときに、容器本体内の薬剤含浸体が容器本体と蓋体との間に噛み込むことがなくなると共に、薬剤容器の軸方向両側の形状を同一にでき、これのどちらからでも容器保持部に装着することができ、この薬剤容器の組み立てを容易にできるようにしたファン式薬剤拡散装置用の薬剤容器を提供することも目的とするものである。
【０００９】
【課題を解決するための手段】
上記目的を達成するために、本発明に係るファン式薬剤拡散装置用の薬剤容器は、ファン式薬剤拡散装置の容器保持部にこれの軸方向に係脱可能に装着され、ファン式薬剤拡散装置内に設けられたファンを回転して送風することにより、軸方向に対向する２壁に設けられた通風孔を通じて内部に収容した薬剤含浸体の薬剤を上記送風にて揮散、拡散するようにしたファン式薬剤拡散装置用の薬剤容器において、この薬剤容器を、通気孔を多数有する端壁にて筒壁の一方を閉じてなる容器本体と、通気孔を多数有して上記容器本体の筒壁の外側形状と同形にした端壁に、上記容器本体の筒壁の内径面に密に嵌合する形状にした筒壁を設けてなる蓋体とから構成し、上記蓋体の筒壁の先端部内側に拡開状のテーパ面を設けた構成になっている。
そして上記構成のファン式薬剤拡散装置用の薬剤容器において、容器本体の筒壁の内径面に蓋体の筒壁を嵌合して、この蓋体にて容器本体を閉じた状態で軸方向中間に対する軸方向対称の形状にし、また、薬剤容器をファン式薬剤拡散装置の容器保持部に係合保持するための係止凸条を、薬剤容器の容器本体の外周側で、かつこの容器本体に蓋体を嵌合した状態での薬剤容器の軸方向中間部となる位置に設け、薬剤容器をこの係合凸条に対して軸方向に対称形状となるようにした。
【００１０】
【作  用】
蓋体を容器本体に装着するときに、蓋体の筒壁が容器本体の筒壁の内側に嵌合し、容器本体内で、かつこれの筒壁の内面に接触する位置にある薬剤含浸体８は蓋体の筒壁にて容器本体の内側方へ押しのけられ、これが容器本体の端部に噛み込まれることがない。
【００１１】
【発明の実施の形態】
本発明の実施の形態を図１から図４に基づいて説明する。図中Ａは本発明に係る薬剤容器であり、この薬剤容器Ａは上記した従来の薬剤容器３と同様に、通気孔２０ａを多数有する端壁２０ｂにて筒壁２０ｃの一方を閉じてなる容器本体２０と、通気孔２１ａを多数有する端壁２１ｂにて筒壁２１ｃの一方を閉じてなる蓋体２１とからなっている。
【００１２】
そして、上記蓋体２１の筒壁２１ｃの外径は容器本体２０の筒壁２０ｃの内径面に密に嵌合される寸法になっている。またこの蓋体２１の端壁２１ｂは筒壁２１ｃより大径になっていて、これの外周部が筒壁２１ｃのフランジ２１ｅとなっている。このフランジ２１ｅの外径は容器本体２０の筒壁２０ｃと略同径となっている。
【００１３】
なお、容器本体２０の筒壁２０ｃの内面と蓋体２１の筒壁２１ｃの外面で、両者が嵌合する部分の一方に凹溝２２が、他方にこの凹溝２２に嵌合する凸条２３が設けてある。また容器２０の外周には、薬剤容器Ａがファン式薬剤拡散装置の容器保持部に係脱可能に係合するための係合凸条２４が設けてある。
【００１４】
蓋体２１の筒壁２１ｃの先端部内側には、図２に拡大して示すように、拡開状にしたテーパ面２１ｄが設けてある。また容器本体２０の筒壁２０ｃの開口部内側にも拡開状にしたテーパ面２０ｄが設けてある。
【００１５】
上記構成において、容器本体２０と蓋体２１とは、図１に示すように、容器本体２０の筒壁２０ｃの内面に、蓋体２１の筒壁２１ｃが嵌合することにより結合される。このとき、蓋体２１のフランジ２１ｅが容器本体２０の筒壁２０ｃの端面に当接する。また両筒壁２０ｃ，２１ｃの凹溝２２と凸条２３が係合することにより両者は強固に結合される。
【００１６】
従って、薬剤含浸体（図示せず）を充填した容器本体２０を蓋体２１にて閉じる際に、蓋体２１の筒壁２１は容器本体２０ｃの筒壁２０ｃに接触している薬剤含浸体８を容器本体２０の内側方へ排除しながら嵌合することになり、容器本体２０の端面と蓋体２１の端面との間に薬剤含浸体が噛み込むことがなくなる。
【００１７】
このとき、蓋体２１の筒壁２１ｃの先端の内側にテーパ面２１ｄが設けてあることにより、蓋体２１はこのテーパ面２１ｄにて容器本体内の薬剤含浸体を容器本体２０の内側へ押しのけながら嵌合する。
【００１８】
容器本体２０と蓋体２１とを嵌合した状態の薬剤容器Ａはこれの軸方向中間部に設けた係合凸条２４に対して対称形状になっており、従って、この薬剤容器Ａは図５に示すファン式薬剤拡散装置の容器保持部４に対していずれの方向からも装着できる。
【００１９】
なお、上記構成の薬剤容器Ａの構成材料は、薬剤が浸透しにくいものが用いられる。例えば、アルミ、ステンレス、ガラスなども有効である。経済性を考慮すると安価なプラスチックが有効である。プラスチックの場合、薬剤が浸透しにくく、安価で安全性と安定性に優れているものとしてポリエステル系が用いられる。ただし、現在開発が進行中の技術として、安価な樹脂に非接触で浸透防止剤をコーティングする技術があり、将来的には有効である。
【００２０】
また、薬剤容器をプラスチックにて構成したときに、これの内部及び／または外表面に紫外線吸収剤を含有及び／または付着させてもよい。この場合、光劣化を防止できる。また、この構成材料に酸化防止剤を含有させることで、この構成材料であるプラスチックの耐性を向上させることができる。
【００２１】
【発明の効果】
本発明によれば、容器本体に蓋体を嵌合したときに、容器本体内の薬剤含浸体が容器本体と蓋体との間に噛み込むことがなくなると共に、薬剤容器の軸方向両側の形状を同一にでき、これのどちらかでも容器保持部に装着することができ、この薬剤容器の組み立てを容易にできる。また、蓋体本体との嵌合部が容器本体の外側に突出することがなくなって蓋体に指が引っかかることがなく、幼児等によって容器本体から蓋体を容易に取り外すことができなくなり、薬剤容器内の薬剤含浸体に触れる危険性がなく、安全性に優れている。
【図面の簡単な説明】
【図１】本発明に係る薬剤容器の一例を示す断面図である。
【図２】図１のＰ部を示す拡大断面図である。
【図３】（ａ）は容器本体を示す正面図、（ｂ）は断面図である。
【図４】（ａ）は蓋体を示す正面図、（ｂ）は断面図である。
【図５】従来の薬剤容器を用いたファン式薬剤拡散装置を示す一部破断面図である。
【図６】従来の薬剤容器を示す断面図である。
【符号の説明】
１…装置本体、２…電源収納体、Ａ，３…薬剤容器、４…容器保持部、５…スイッチ、６…モータ、７…ファン、８…薬剤含浸体、９…排気口、１０，２０…容器本体、１０ａ，２０ａ…通気孔、１０ｂ，２０ｂ…端壁、１０ｃ，２０ｃ…筒壁、１１，２１…蓋体、１１ａ，２１ａ…通気孔、１１ｂ，２１ｂ…端壁、１１ｃ，２１ｃ…筒壁、２０ｄ，２１ｄ…テーパ面、２１ｅ…フランジ、２２…凹溝、２３…凸条、２４…係合凸条。
【図１】
0004903939.tif 000002
【図２】
0004903939.tif 000003
【図３】
0004903939.tif 000004
【図４】
0004903939.tif 000005
【図５】
0004903939.tif 000006
【図６】
0004903939.tif 000007